【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
光透過性のフェースプレートを有する真空外囲器と、
前記フェースプレートの内面に形成された蛍光体層と、
前記フェースプレートの内面に前記蛍光体層を区画して形成されたブラックマトリクス膜と、
前記真空外囲器内に前記蛍光体層に対向して配置され、且つ当該蛍光体層に電子線を出射する電子線源とを備え、
前記フェースプレートの画像表示面側から見た前記ブラックマトリクス膜の面積占有率を６０％乃至９５％の範囲とすることを特徴とする画像表示装置。
【請求項２】
光透過性のフェースプレートを有する真空外囲器と、
前記フェースプレートの内面に形成された蛍光体層と、
前記フェースプレートの内面に前記蛍光体層を区画して形成されたブラックマトリクス膜と、
前記真空外囲器内に前記蛍光体層に対向して配置され、且つ当該蛍光体層に電子線を出射する電子線源とを備え、
前記フェースプレートの画像表示面側から見た前記ブラックマトリクス膜の面積占有率を８３％乃至９４％の範囲とすることを特徴とする画像表示装置。
【請求項３】
前記ブラックマトリクス膜の少なくとも一面に金属層が形成され、前記蛍光体層の上面にメタルバック膜が形成されていることを特徴とする請求項１または請求項２に記載の画像表示装置。
【請求項４】
前記金属層の面抵抗値が前記メタルバック膜の面抵抗値よりも小さいことを特徴とする請求項３に記載の画像表示装置。
【請求項５】
前記金属層の面抵抗値が前記メタルバック膜の面抵抗値の５０％以下であることを特徴とする請求項３に記載の画像表示装置。
【請求項６】
前記金属層の厚さが前記メタルバック膜の厚さよりも大きいことを特徴とする請求項３に記載の画像表示装置。
【請求項７】
光透過性のフェースプレートを有する真空外囲器と、
前記フェースプレートの内面に形成された蛍光体層と、
前記フェースプレートの内面に前記蛍光体層を区画して形成されたブラックマトリクス膜と、
前記真空外囲器内に前記蛍光体層に対向して配置され、且つ当該蛍光体層に電子線を出射する電子線源とを備え、
前記フェースプレートの画像表示面側から見た前記ブラックマトリクス膜の面積占有率を７０．６％乃至９４．１％の範囲とすることを特徴とする画像表示装置。
【手続補正２】
【補正対象書類名】明細書
【補正対象項目名】０００２
【補正方法】変更
【補正の内容】
【０００２】
一般に画像表示装置に代表される例えばカラー陰極線管は、外囲器の前面部を構成するフェースプレートの内面には蛍光面を形成する為に、ブラックマトリクス膜，蛍光体膜，メタルバック膜，シャドウマスクなどが順次配設されている。また、外囲器のネック部には内部に電子銃が配設され、さらに、その外部には偏向ヨークが配設され、電子銃から放出される電子ビームを偏向ヨークによる磁界によって偏向させ、シャドウマスクを介して蛍光面を走査させることにより、蛍光面上に画像を表示するように構成されている。
【手続補正３】
【補正対象書類名】明細書
【補正対象項目名】００１１
【補正方法】変更
【補正の内容】
【００１１】
したがって、本発明は、前述した従来の課題を解決するためになされたものであり、その目的は、フェースプレートの画像表示面側から見たブラックマトリクス膜の面積占有率を適切に設定し、蛍光体層とブラックマトリクス膜との接触面積を増大させることにより、蛍光体層の帯電を抑制し、輝度及びコントラスト等の表示特性を向上させることができる画像表示装置を提供することにある。
【手続補正４】
【補正対象書類名】明細書
【補正対象項目名】００１３
【補正方法】変更
【補正の内容】
【００１３】
このような目的を達成するために本発明による画像表示装置は、光透過性のフェースプレートを有する真空外囲器と、フェースプレートの内面に形成された蛍光体層と、フェースプレートの内面に蛍光体層を区画して形成されたブラックマトリクス膜と、真空外囲器内に蛍光体層に対向して配置され、且つ蛍光体層に電子線を出射する電子線源とを備え、フェースプレートの画像表示面側から見たブラックマトリクス膜の面積占有率を６０％乃至９５％の範囲に設定することにより、蛍光体層とブラックマトリクス膜との接触面積を増大させることで、電子線照射に起因する蛍光体層の帯電が抑制されるので、背景技術の課題を解決することができる。
【手続補正５】
【補正対象書類名】明細書
【補正対象項目名】００１４
【補正方法】変更
【補正の内容】
【００１４】
また、本発明による他の画像表示装置は、光透過性のフェースプレートを有する真空外囲器と、フェースプレートの内面に形成された蛍光体層と、フェースプレートの内面に蛍光体層を区画して形成されたブラックマトリクス膜と、真空外囲器内に蛍光体層に対向して配置され、且つ蛍光体層に電子線を出射する電子線源とを備え、フェースプレートの画像表示面側から見たブラックマトリクス膜の面積占有率を８３％乃至９４％の範囲に設定することにより、蛍光体層とブラックマトリクス膜との接触面積を増大させることで、電子線照射に起因する蛍光体層の帯電が抑制されるので、背景技術の課題を解決することができる。
【手続補正６】
【補正対象書類名】明細書
【補正対象項目名】００１５
【補正方法】変更
【補正の内容】
【００１５】
また、好ましくは、上記構成において、ブラックマトリクス膜の少なくとも一面に金属層が形成され、蛍光体層の上面にメタルバック膜が形成されていることにより、蛍光体層と金属層とを接触させることで、電子線照射に起因する蛍光体層の帯電がさらに抑制されるので、背景技術の課題を解決することができる。
【手続補正７】
【補正対象書類名】明細書
【補正対象項目名】００２４
【補正方法】変更
【補正の内容】
【００２４】
図１は、本発明による画像表示装置の実施例１による電界放出型ディスプレイパネルの構成を説明する概略断面図である。図１において、１は前面ガラスパネル部、２はフェースプレート、３は背面パネル部、４は封着枠部、５は蛍光面、６はブラックマトリクス膜、７は金属層、８は蛍光体層、９はメタルバック膜、１０は封着部材、１１は電子放出素子群、１２は電子線源、１３は電子線源１２から投射される電子線、１４は電界放射型ディスプレイパネルである。
【手続補正８】
【補正対象書類名】明細書
【補正対象項目名】００２５
【補正方法】変更
【補正の内容】
【００２５】
この電界放射型ディスプレイパネル１４を構成するガラス製の真空外囲器（バルブ）は、光透過性のフェースプレート２を有する前面ガラスパネル部１と、内部に電子線源１２を形成した背面パネル部３と、前面パネル部１と背面パネル部３とを連接する封着枠部４とから構成されている。
【手続補正９】
【補正対象書類名】明細書
【補正対象項目名】００２８
【補正方法】変更
【補正の内容】
【００２８】
図２〜図４は、図１に示した電界放出型ディスプレイパネルのフェースプレート２のパネル内面に形成された蛍光面５の一部Ａの具体的構造を示す図であり、図２はその拡大断面図，図３は画像表示面側から見た拡大平面図，図４は電子線源側から見た拡大平面図である。前述した図１と同一部分には同一符号を付してある。図２において、蛍光面５が形成されるフェースプレート２のパネル内面上には、後述する各色蛍光体層の発光光取り出し口とする開口幅Ｗ１＝約２０μｍのストライプ状の開口６ｏを有するブラックマトリクス膜６がＷ２＝約１５０μｍの幅で交互に繰り返して形成されている。
【手続補正１０】
【補正対象書類名】明細書
【補正対象項目名】００３５
【補正方法】変更
【補正の内容】
【００３５】
図５及び図６は、比較例として現行のディスプレイパネルのフェースプレートの内面に形成された蛍光面の具体的構造を示す図であり、図５はその要部拡大断面図，図６は電子源側から見た拡大平面図である。前述した図と同一部分には同一符号を付してある。これらの図において、蛍光面を形成するフェースプレート２のパネル内面上には、各色蛍光体層８ｒ，８ｇ，８ｂの発光光取り出し口とする開口幅Ｗ１＝約１２０μｍのストライプ状の開口６ｏを有するブラックマトリクス膜６が、Ｗ２＝約５０μｍの幅で交互に繰り返して形成されている。
【手続補正１１】
【補正対象書類名】明細書
【補正対象項目名】００４０
【補正方法】変更
【補正の内容】
【００４０】
フェースプレート２のパネル内面上に形成するブラックマトリクス膜６の幅Ｗ２を下記表１に示すように約５０μｍから約１６７μｍまでの範囲まで変化させた前面ガラスパネル部１を実施例１と同様の手法で作製し、ディスプレイパネルとして完成させた。完成した各ディスプレイパネルの輝度及びコントラストの測定値を表１に示す。表１から明らかなようにコントラストはブラックマトリクス膜６の面積占有率の増加に伴って増加した。また、輝度は面積占有率約６０％以上で約９５％以下の領域内で向上し、特に約７０．６％以上で約９４．１％以下の領域内、更に好ましくは約８２．４％以上で約９４．１％以下の領域内ではその度合いが大きいことが確認された。